(57)【要約】      （修正有）【課題】篩に付着する固形物を、効率良く均等に取り除くことができる固液分離装置を提供する。【解決手段】装置本体２と、装置本体２に揺動可能に取り付けられた篩４と、篩４を揺動させる振動モータ５と、篩４の上側および下側に位置し、この篩４の長手方向に沿って移動可能に取り付けられ、この篩４に向けて洗浄水を噴出する洗浄用ノズル８ｆ，９ｆと、を備える。固形物と水の混合物を篩に供給させた状態で、振動モータを駆動させ篩を振動させることにより、混合物が固形物と水とに分離される。さらに、洗浄用ノズルを篩の長手方向に沿って移動させながら、水を噴出させる。この結果、この篩に付着する固形物を、効率良く均等に取り除くことができる。【選択図】図１
0003184959.tif 000002
【実用新案登録請求の範囲】
【請求項１】
本体と、
この本体に揺動可能に取り付けられた篩と、
この篩を揺動させる振動モータと、
前記篩の上側および下側に位置し、この篩の長手方向に沿って移動可能に取り付けられ、この篩に向けて水を噴出する洗浄用ノズルと、
を備えたことを特徴とする固液分離装置。
【請求項２】
請求項１記載の固液分離装置において、
前記本体は、前記篩にて分離された固形物を排出するための排出口と、この排出口を閉塞するシャッタと、このシャッタを駆動させて前記排出口を閉塞させる駆動部と、
を有することを特徴とする固液分離装置。
【請求項３】
請求項１または２記載の固液分離装置において、
前記洗浄用ノズルを前記篩の長手方向に亘って移動させる駆動装置と、
この駆動装置の駆動を制御する制御装置と、を備え、
この制御装置は、外周に螺旋状の溝部が設けられ前記駆動装置にて回転される筒状部と、この筒状部の溝部に嵌合され前記筒状部の回転に伴い軸方向に移動する移動部と、この移動部が前記溝部に沿って前記篩の長手寸法に等しい距離ほど相対的に移動した場合にオンするスイッチ部と、を有し、このスイッチ部のオンに伴い前記洗浄用ノズルの移動方向を反転または停止させる
ことを特徴とする固液分離装置。
【請求項４】
請求項１ないし３いずれかに記載の固液分離装置において、
前記篩は、前記本体の上側に取り付けられたコイル状のバネ材を介して前記本体に取り付けられ、
前記洗浄用ノズルは、前記篩の長手方向の一端から他端に亘りこの篩の長手方向に沿って移動可能とされている
ことを特徴とする固液分離装置。
【請求項５】
請求項２記載の固液分離装置において、
前記本体は、この本体の一端側に供給部が設けられ、前記本体の他端側に前記排出口が設けられ、この本体の下部に排水口が設けられ、
前記篩は、前記本体の一端側から他端側に向けて下方に傾斜させて取り付けられ、
この篩にて分離された水は、前記排水口から排水される
ことを特徴とする固液分離装置。
【考案の詳細な説明】
【技術分野】
【０００１】
本考案は、篩にて固形分と水とを分離する固液分離装置に関する。
【背景技術】
【０００２】
従来、この種の固液分離装置としては、例えば下記特許文献１に記載のように、機枠に篩網２を縦方向に急傾斜に支持させ、この篩網の上端側である上面上に汚水供給口が設けられている。そして、この篩網の下面側に止水板が突設され、この止水板と篩網との狭角部分に篩網の上面に向うように、水放出口とエア放出口とが対向させて取り付けられている。
【先行技術文献】
【特許文献】
【０００３】
【特許文献１】特開２００７−１９０５１５号公報
【考案の概要】
【考案が解決しようとする課題】
【０００４】
しかしながら、上記特許文献１にかかる従来技術によれば、水放出口およびエア放出口が固定されて取り付けられている。したがって、これら水放出口から放出させる水や、エア放出口から放出させるエアによっては、篩網に付着した微細固形物等を、この篩網の全体に亘って効率良く取り除くことが容易でないという問題を有している。
【０００５】
そこで本考案は、従来技術における上記問題を解決し、篩に付着する固形物を、効率良く均等に取り除くことができる固液分離装置を提供することを目的とする。
【課題を解決するための手段】
【０００６】
この課題を解決するため、請求項１にかかる本考案は、本体と、この本体に揺動可能に取り付けられた篩と、この篩を揺動させる振動モータと、前記篩の上側および下側に位置し、この篩の長手方向に沿って移動可能に取り付けられ、この篩に向けて水を噴出する洗浄用ノズルと、を備えた固液分離装置である。
【０００７】
そして、このように構成したことにより、固形物と水とが混合した混合物を篩に供給させた状態で、振動モータを駆動させ本体を介して篩を振動させることにより、この篩にて混合物が固形物と水とに分離される。さらに、この篩にて混合物を固形物と水とに分離し続けることにより、この固形物が篩に付着したりした場合に、洗浄用ノズルを篩の長手方向に沿って移動させながら、この洗浄用ノズルから篩に向けて水を噴出させる。この結果、篩の長手方向に亘って水を吹き付けることができ、この篩に付着する固形物を、この篩の長手方向に亘って効率良く均等に取り除くことができる。
【０００８】
請求項２は、請求項１の固液分離装置において、前記本体は、前記篩にて分離された固形物を排出するための排出口と、この排出口を閉塞するシャッタと、このシャッタを駆動させて前記排出口を閉塞させる駆動部と、を有する、ことを特徴とする。
【０００９】
そして、このように構成したことにより、駆動部にてシャッタを駆動させて排出口を閉塞させた状態で、洗浄用ノズルから篩に向けて水を噴出させることにより、排出口からの水の排出が防止できる。よって、この排出口から排出された固形物への洗浄時の水の進入を防止することができるから、篩を洗浄する際の固形物への水の混入を確実に防止することができる。
【００１０】
請求項３は、請求項１または２の固液分離装置において、前記洗浄用ノズルを前記篩の長手方向に亘って移動させる駆動装置と、この駆動装置の駆動を制御する制御装置と、を備え、この制御装置は、外周に螺旋状の溝部が設けられ前記駆動装置にて回転される筒状部と、この筒状部の溝部に嵌合され前記筒状部の回転に伴い軸方向に移動する移動部と、この移動部が前記溝部に沿って前記篩の長手寸法に等しい距離ほど相対的に移動した場合にオンするスイッチ部と、を有し、このスイッチ部のオンに伴い前記洗浄用ノズルの移動方向を反転または停止させる、ことを特徴とする。
【００１１】
そして、このように構成したことにより、洗浄用ノズルから篩に向けて水を噴出させている状態で、駆動装置にて筒状部を回転させつつ前記洗浄用ノズルを篩の長手方向に沿って移動させている際に、この筒状部の回転に伴い、この筒状部の溝部に嵌合された移動部が軸方向に移動していき、この移動部が筒状部の溝部に沿って篩の長手寸法ほど相対的に移動するとスイッチ部がオンする。そして、このスイッチ部のオンに伴い洗浄用ノズルの移動方向が反転または停止され、駆動装置による筒状部の回転が反転または停止される。したがって、筒状部の溝部に沿って移動部が篩の長手寸法ほど相対的に移動することに応じ、洗浄用ノズルの移動方向が反転または停止されるため、この洗浄用ノズルの移動距離を、移動部の少ない移動距離で把握でき、洗浄用ノズルを篩の長手方向に沿って駆動させる際の駆動距離を簡単な構成で確実に制御することができる。
【００１２】
請求項４は、請求項１ないし３いずれかの固液分離装置において、前記篩は、前記本体の上側に取り付けられたコイル状のバネ材を介して前記本体に取り付けられ、前記洗浄用ノズルは、前記篩の長手方向の一端から他端に亘りこの篩の長手方向に沿って移動可能とされている、ことを特徴とする。
【００１３】
そして、このように構成したことにより、振動モータを駆動させることにより、本体の上側に取り付けられたコイル状のバネ材を介して篩が振動されるため、この篩を振動モータにて直接振動させる場合に比べ、この篩を耐久性良く確実に振動させることができる。また、洗浄用ノズルを篩の長手方向の一端から他端に亘りこの篩の長手方向に沿って移動させることができるから、この篩全体を効率良くかつ均等に洗浄することができる。
【００１４】
請求項５は、請求項２の固液分離装置において、前記本体は、この本体の一端側に供給部が設けられ、前記本体の他端側に前記排出口が設けられ、この本体の下部に排水口が設けられ、前記篩は、前記本体の一端側から他端側に向けて下方に傾斜させて取り付けられ、この篩にて分離された水は、前記排水口から排水される、ことを特徴とする。
【００１５】
そして、このように構成したことにより、固形物と水とが混合された混合物を、本体の一端側の供給部から篩上に供給させた状態で、振動モータにて篩を振動させることにより、篩が本体の一端側から他端側に向けて下方に傾斜させて取り付けられていることから、混合物の自重によって、この混合物が篩の一端側から他端側に徐々に送られながら、この混合物中の水が篩の下方へ排出され、本体の下部に設けられた排水口から外部へ排出される。また、混合物は、篩の一端側から他端側に送られる間に水が分離されて固形物となり、本体の他端側に設けられた排出口から外部へ排出される。したがって、固形物と水とが混合した混合物の固液分離を簡単な構成で確実に行うことができる。
【考案の効果】
【００１６】
本考案によれば、固形物と水とが混合した混合物を篩に供給させた状態で、振動モータを駆動させ本体を介して篩を振動させることにより、この篩にて混合物を固形物と水とに分離することができる。さらに、この篩にて混合物を固形物と水とに分離し続ける等し、この固形物が篩に付着したりした場合に、洗浄用ノズルを篩の長手方向に沿って移動させながら、この洗浄用ノズルから篩に向けて水を噴出させる。この結果、篩の長手方向に亘って水を吹き付けることができ、この篩に付着する固形物を、この篩の長手方向に亘って効率良く均等に取り除くことができる。そして、前述した以外の課題、構成および効果は、以下の実施形態の説明より明らかにされる。
【図面の簡単な説明】
【００１７】
【図１】本考案の一実施形態に係る固液分離装置の正面図である。
【図２】図１に示す固液分離装置の平面図である。
【図３】図１に示す固液分離装置の右側面図である。
【図４】図１に示す固液分離装置の一部拡大図で、（ａ）は右側面図、（ｂ）は背面図である。
【考案を実施するための形態】
【００１８】
本考案の一実施形態に係る固液分離装置について図１ないし図４を参照して説明する。
【００１９】
＜構成＞
本一実施形態に係る固液分離装置１は、例えば、牛蒡・人参・大根・キャベツ等の土や泥の付いた野菜等を水で洗浄して食用にカットしたカット野菜を作る際に排出される混合物としての排出物である汚水Ａを固液分離する。具体的に、この固液分離装置１は、カット野菜を作る際に排出される野菜屑や土・泥等の固形物Ｂから効率良く水Ｃを分離するものである。
【００２０】
そして、この固液分離装置１は、上面が開口した本体としての略箱状の装置本体２を備えており、この装置本体２の各角部には、下方に向けて突出する脚体２ｂがそれぞれ取り付けられている。また、装置本体２は、長手方向Ｄを有する平面視略長方形状に形成されており、この装置本体２の長手方向の一端側である上流側に、上下方向に沿った仕切板２ｃが取り付けられている。この仕切板２ｃは、装置本体２の底面および両側面に連結され、この装置本体２の一端側を仕切る構成とされている。
【００２１】
さらに、この仕切板２ｃにて仕切られた装置本体２の上流側の領域が、汚水供給部としての汚水タンク２ｄとされ、この汚水タンク２ｄへ供給される汚水Ａを一定量貯留させる。この汚水タンク２ｄの底面には、略円形の汚水供給口２ｅが開口されており、この汚水供給口２ｅから汚水Ａが汚水タンク２ｄへ供給される構成とされている。さらに、仕切板２ｃの上端側の幅方向の中央部には、平面視略凹状の越流凹部２ｆが設けられている。この越流凹部２ｆには、図２に示すように、断面略凹状の流入板２ｇが、装置本体２の他端側である下流側に向けて突出した状態とされて取り付けられている。
【００２２】
一方、装置本体２の仕切板２ｃより下流側の領域は、流入板２ｇから流入されてくる汚水Ａを固液分離するための固液分離部２ｈとされている。この固液分離部２ｈの上側には、計４本のコイル状のバネ材としてのスプリング３ａが取り付けられている。これらスプリング３ａは、装置本体２の両側面を覆う壁材２ａの上端部に、上下方向に軸方向を沿わせた状態として取り付けられており、図２に示すように、この装置本体２の幅方向Ｅに沿って一対ずつ取り付けられている。
【００２３】
そして、これら各スプリング３ａには、有底円筒状であるカップ状の支持部材３ｂが上側から被せられて取り付けられている。これら支持部材３ｂは、装置本体２の幅方向Ｅに沿った略棒状の一対の枠材３ｃにて連結されている。これら枠材３ｃの各端部には、下方に向けて突出した計４本の脚材３ｄの上端側が取り付けられている。また、これら各脚材３ｄの下端部は、装置本体２の長手方向に沿った断面Ｌ字状の一対の係止材３ｅに対し、例えばダブルナット等によって揺動可能に取り付けられている。ここで、これら係止材３ｅは、これら係止材３ｅの長手方向を、装置本体２の上流側から下流側に向けて下方に傾斜させた状態とされて取り付けられている。
【００２４】
さらに、これら係止材３ｅは、Ｌ字状の一辺である係止片３ｆを互いに対向させ、Ｌ字状の他辺である接続片３ｇのそれぞれを上方に向けた状態として取り付けられている。そして、これら係止材３ｅの係止片３ｆ間には、平面視長方形状の篩４が橋渡しさせた状態で取り外し可能に設置されている。よって、この篩４もまた、この篩４の長手方向Ｄを、装置本体２の上流側から下流側に向けて下方に傾斜する状態とされて取り付けられている。そして、篩４は、長方形状の枠材４ａ内に、分離する固形物に対応させた所定のメッシュ構造の網材であるスクリーン４ｂが取り付けられて構成されている。
【００２５】
また、係止材３ｅの長手方向の中心部よりも下流側に寄った位置には、略箱状の設置部材３ｈが取り付けられており、この設置部材３ｈ上に振動モータ５が取り付けられている。この振動モータ５は、この振動モータ５にて発生させる振動を、設置部材３ｈおよび係止材３ｅを介して篩４へ伝達させる。すなわち、振動モータ５は、各係止材３ｅを支持する支持部材３ｂがスプリング３ａ上に取り付けられていることから、この振動モータ５が取り付けられている設置部材３ｈとともに係止材３ｅ、脚材３ｄおよび支持部材３ｂを振動させて、係止材３ｅに係止されている篩４を揺動させて振動動作させる。
【００２６】
さらに、装置本体２の固液分離部２ｈの下流側は、開口されて略矩形状の開口部２ｉが設けられている。この開口部２ｉには、装置本体２の固液分離部２ｈ内に収容された係止材３ｅの下流側が、この開口部２ｉより外側に突出した状態とされて取り付けられている。また、開口部２ｉには、この開口部２ｉより外側の上側を覆う平板状の遮蔽板６ａが取り付けられており、この遮蔽板６ａにて開口部２ｉの上側が覆われて閉塞されている。具体的に、遮蔽板６ａは、この遮蔽板６ａの上端縁が装置本体１の下流側の上端部に接続され、開口部２ｉより外側に突出した係止材３ｅの下流側の上側を覆う構成とされている。
【００２７】
そして、これら遮蔽板６ａと開口部２ｉとによって、篩４の下端側から排出される固形物Ａを外部へ排出するための排出口６ｂが形成されている。この排出口６ｂには、この排出口６ｂを開閉可能に閉塞する平板状のシャッタ６ｃが取り付けられている。このシャッタ６ｃは、図１に示すように、装置本体２の下流側に向けて上方へ傾斜した状態とされている。すなわち、シャッタ６ｃは、遮蔽板６ａに対して垂直に取り付けられ、このシャッタ６ｃにて排出口６ｂを閉塞する位置から上方にスライド可能な構成とされている。そして、シャッタ６ｃは、このシャッタ６ｃの幅方向の一側に取り付けられた駆動部としてのエアシリンダ６ｄにて駆動可能とされ、このエアシリンダ６ｄの伸縮動作にて排出口６ｂを開閉させる。
【００２８】
さらに、装置本体２の固液分離部２ｈの下面には、篩４のスクリーン４ｂを通過した水Ｃを、装置本体２の外部へ排出するための排水口２ｊが設けられている。この排水口２ｊは、装置本体２の固液分離部２ｈの底面が下流側から上流側に向けて傾斜させて設けられていることから、この固液分離部２ｈの底部の上流寄りの位置に設けられている。
【００２９】
＜自動洗浄機構＞
さらに、装置本体２の固液分離部２ｈには、篩４のスクリーン４ｂに付着したり、このスクリーン４ｂの網目等に詰まったりした固形物Ｂを除去するための自動洗浄装置７が設けられている。この自動洗浄装置７は、篩４の上側に取り付けられこの篩４の上側に洗浄水を吹き付けてスクリーン４ｂ上の固形物Ｂを取り除くための上側洗浄機構８と、篩４の下側に取り付けられこの篩４の下側から洗浄水を吹き付けてスクリーン４ｂのマス目に詰まった固形物Ｂを吹き飛ばして取り除くための下側洗浄機構９と、これら上側および下側洗浄機構８，９を駆動させて制御する駆動制御機構１０とで構成されている。
【００３０】
具体的に、上側洗浄機構８は、装置本体２の係止片３ｆより上側の位置に取り付けられた一対の滑車であるスプロケット８ａ，８ｂと、これらスプロケット８ａ，８ｂ間に巻回された無端状のチェーン８ｃと、このチェーン８ｃの一部に固定された散水管８ｄと、この散水管８ｄへ洗浄水を供給するためのホース８ｅと、散水管８ｄの下端部に並設された複数の洗浄用ノズル８ｆと、下流側に位置するスプロケット８ｂを回転駆動させるため駆動装置である駆動モータ８ｇとを備えている。
【００３１】
そして、一対のスプロケット８ａ，８ｂは、装置本体２内の固液分離部２ｈの長手方向Ｄに沿った対象な位置であって、この固液分離部２ｈの上流側と下流側とに取り付けられている。チェーン８ｃは、一対のスプロケット８ａ，８ｂ間に回動可能に巻回されており、いずれか一方のスプロケット８ａ，８ｂの回転に同期していずれか他方のスプロケット８ｂ，８ａが回動駆動される。また、チェーン８ｃは、一対のスプロケット８ａ，８ｂ間に巻回された状態で、このチェーン８ｃの少なくとも下側の部分が装置本体２の長手方向Ｄである水平方向に移動する。
【００３２】
散水管８ｄは、一対のスプロケット８ａ，８ｂ間にチェーン８ｃを巻回させた状態で、このチェーン８ｃの下側に取り付けられおり、このチェーン８ｃの回動に伴い、固液分離部８ｈの上流側から下流側まで、および下流側から上流側までに亘って略水平に移動可能とされている。また、散水管８ｄは、両端が閉塞されたパイプ部材にて構成され、篩４の幅寸法より小さい長さ寸法とされている。そして、散水管８ｄは、長手方向を装置本体２の幅方向Ｅに沿わせた状態でチェーン８ｃに取り付けられている。
【００３３】
次いで、ホース８ｅは、一端側が散水管８ｄの上端側に設けられた接続口８ｈに接続され、このホース８ｅの中間部が装置本体２内に設けられた支持材８ｉに係止させて装置本体２内に収容されている。この支持材８ｉは、略円盤状に形成され、この支持材８ｉの軸方向を装置本体２の幅方向Ｅに沿わせた状態とし、この装置本体２の壁材２ａの内側に取り付けられている。すなわち、この支持材８ｉの上側にホース８ｅの中央部が係止され、このホース８ｅの中央部から一端側の部分が、装置本体２内で水平にされている。
【００３４】
また、ホース８ｅの支持材８ｉに係止された部分より他端側の部分には、複数、例えば２つの錘８ｊが取り付けられている。これら錘８ｊは、チェーン８ｃの回動に基づく散水管８ｄの移動に伴って撓む部分、すなわちホース８ｅの他端側に取り付けられており、このホース８ｅの他端側を規則的に湾曲させる。さらに、このホース８ｅの他端部は、装置本体２の壁材２ａに貫通させて外部へ導出されており、洗浄水を供給するための供給手段である洗浄ポンプ８ｋに接続されている。
【００３５】
次いで、洗浄用ノズル８ｆは、図３に示すように、これら洗浄用ノズル８ｆから洗浄水が下方に噴出されるように、散水管８ｄの下側に取り付けられている。また、これら洗浄用ノズル８ｆは、散水管８ｄの軸方向に亘って離間されて、例えば６個ほど取り付けられている。さらに、これら洗浄用ノズル８ｆは、篩４の上側面に向けて、この篩４の幅方向の全体に亘って洗浄水を吹き付けて、この篩４のスクリーン上に付着したり堆積したりした固形物を吹き飛ばして除去できる配置構成とされている。さらに、駆動モータ８ｇは、洗浄用ノズル８ｆを篩の長手方向に亘って移動させるものであり、装置本体２の下流側の外側に取り付けられている。具体的に、この駆動モータ８ｇは、装置本体２の下流側に位置するスプロケット８ｂに取り付けられ、このスプロケット８ｂを回転駆動させる構成とされている。
【００３６】
一方、下側洗浄機構９は、装置本体２の係止片３ｇより下側の位置であって、装置本体２内の底部寄りの位置に取り付けられた一対の滑車であるスプロケット９ａ，９ｂと、これらスプロケット９ａ，９ｂ間に巻回された無端状のチェーン９ｃと、このチェーン９ｃの一部に固定された散水管９ｄと、この散水管９ｄへ洗浄水を供給するためのホース（図示せず）と、散水管９ｄの下端部に並設された複数の洗浄用ノズル９ｆと、一方のスプロケット９ｂと上側洗浄機構８の一方のスプロケット８ｂとの間に巻回された連動チェーン９ｇとを備えている。
【００３７】
そして、一対のスプロケット９ａ，９ｂは、装置本体２内の固液分離部２ｈの長手方向Ｄに沿った対象な位置であって、この固液分離部２ｈの上流側と下流側とに取り付けられている。チェーン９ｃは、一対のスプロケット９ａ，９ｂ間に回動可能に巻回されており、いずれか一方のスプロケット９ａ，９ｂの回転に同期していずれか他方のスプロケット９ｂ，９ａが回動駆動される。また、チェーン９ｃは、一対のスプロケット９ａ，９ｂ間に巻回された状態で、このチェーン９ｃの少なくとも下側の部分が装置本体２の長手方向Ｄである水平方向に移動する。
【００３８】
散水管９ｄは、図１に示すように、一対のスプロケット９ａ，９ｂ間にチェーン９ｃを巻回させた状態で、このチェーン９ｃの下側の位置に取り付けられおり、このチェーン９ｃの回動に伴い、固液分離部２ｈの上流側から下流側まで、および下流側から上流側までに亘って略水平に移動可能とされている。また、散水管８ｄは、両端が閉塞されたパイプ部材にて構成され、篩４の幅寸法より大きな長さ寸法とされている。そして、散水管８ｄは、長手方向を装置本体２の幅方向Ｅに沿わせた状態でチェーン９ｃに取り付けられている。
【００３９】
次いで、洗浄用ノズル９ｆは、図３に示すように、これら洗浄用ノズル９ｆから洗浄水が上方に噴出されるように、散水管９ｄの上端側に取り付けられている。また、これら洗浄用ノズル９ｆは、散水管９ｄの軸方向に亘って離間されて、例えば５個ほど取り付けられている。さらに、これら洗浄用ノズル９ｆは、篩４の下側面に向けて、この篩４の幅方向の全体に亘って洗浄水を吹き付け、この篩４のスクリーン４ｂに付着したり、このスクリーン４ｂのマス目に詰まったりした固形物Ｂを上方に向けて吹き飛ばして除去できる配置構成とされている。
【００４０】
さらに、連動チェーン９ｇは、上側洗浄機構８の下流側に位置するスプロケット８ｂと、下側洗浄機構９の下流側に位置するスプロケット９ｂとの間に回動可能に巻回されて取り付けられている。よって、連動チェーン９ｇは、駆動モータ８ｇにてスプロケット８ｂを回転駆動させることに伴って回動し、このスプロケット８ｂの回転駆動に連動させてスプロケット９ｂを回転駆動させ、上側および下側部洗浄機構８，９の各散水管８ｄ，９ｄを一体的に連動させて水平に移動させる。
【００４１】
一方、駆動制御機構１０は、図４（ａ）および図４（ｂ）に示すように、上側および下側洗浄機構８，９の各散水管８ｄ，９ｄの駆動を制御するセンサボックスであって、駆動モータ８ｇが取り付けられている側とは反対側の装置本体２の壁材２ａの外側に取り付けられている。具体的に、駆動制御機構１０は、上側洗浄機構８の下流側に位置するスプロケット８ｂの回転中心となる筒状部としての回転軸１０ａに取り付けられている。この回転軸１０ａは、スプロケット８ｂの中心に挿通されて固定されており、このスプロケット８ｂの回転とともに回転する。
【００４２】
また、この回転軸１０ａのうちのスプロケット８ｂより外側に突出している部分の外周面には、螺旋状の溝部である係止溝１０ｂが形成されている。この係止溝１０ｂは、断面凹状とされ、回転軸１０ａの周方向に移動するに伴い等しい間隔を介して回転軸１０ａの軸方向にずれた螺旋形状に形成されている。また、この係止溝１０ｂは、この係止溝１０ｂの長手方向に向かう長さ寸法が、上側および下側洗浄機構８，９の散水管８ｄ，９ｄの移動寸法より大きくされている。
【００４３】
そして、この係止溝１０ｂには、この係止溝１０ｂに対応した螺旋状の被係止溝１０ｃが内側面に形成された略円筒状の移動部としての移動体１０ｄが嵌合されて取り付けられている。この移動体１０ｄは、回転軸１０ａの回転に伴い係止溝１０ｂと被係止溝１０ｃとの係止位置が軸方向に移動していくことにより、この回転軸１０ａの軸方向に徐々に移動する構成とされている。さらに、回転軸１０ａの下方には、移動体１０ｄの移動位置を感知するための検出器としてのセンサ１０ｅが取り付けられている。
【００４４】
このセンサ１０ｅは、回転軸１０ａの回転に伴う移動体１０ｄの移動位置を検出する構成とされている。具体的に、このセンサ１０ｅは、各散水管８ｄ，９ｄを最も下流側に位置させた状態で、駆動モータ８ｇを駆動させ、移動体１０ｄの被係止溝１０ｃが回転軸１０ａの係止溝１０ｂに沿って各散水管８ｄ，９ｄが上流側に向けて移動し、これら各散水管８ｄ，９ｄが最も上流側の所定位置まで移動した場合にオンする。また、センサ１０ｅは、各散水管８ｄ，９ｄが最も下流側に位置した状態で、駆動モータ８ｇを駆動させ、移動体１０ｄの被係止溝１０ｃが回転軸１０ａの係止溝１０ｂに沿って各散水管８ｄ，９ｄが下流側に向けて移動し、これら各散水管８ｄ，９ｄが最も下流側の所定位置まで移動した場合にオンする。すなわち、このセンサ１０ｅは、移動体１０ｄが係止溝１０ｂに沿って篩４の長手寸法に等しい距離ほど相対的に移動した場合にオンする構成とされている。
【００４５】
よって、このセンサ１０ｅは、各散水管８ｄ，９ｄの移動距離を、回転軸１０ａの外周面に形成された係止溝１０ｂに対する被係止溝１０ｃの移動距離として感知し、これら各散水管８ｄ，９ｄの移動距離を制御する。さらに、このセンサ１０ｅは、駆動モータ８ｇの駆動を制御するコントローラとしての制御装置である制御盤１１に接続されている。この制御盤１１は、例えば固液分離装置１の設置箇所に併設された壁面等に取り付けられており、駆動モータ８ｇの駆動に加え、振動モータ５、エアシリンダ６ｄ等の各駆動部の駆動を制御する。
【００４６】
そして、制御盤１１は、各散水管８ｄ，９ｄを最も下流側に位置させた状態で駆動モータ８ｇを駆動させ、これら各散水管８ｄ，９ｄが最も上流側の所定位置まで移動した際の移動体１０ｄの移動箇所でセンサ１０ｅがオンした場合に駆動モータ８ｇの駆動方向を反転させる。さらに、制御盤１１は、各散水管８ｄ，９ｄが最も下流側に位置した状態で、駆動モータ８ｇの駆動方向を反転させてから、これら各散水管８ｄ，９ｄが最も下流側の所定位置まで移動した際の移動体１０ｄの移動箇所でセンサ１０ｅがオンした場合に駆動モータ８ｇの駆動を停止させる。
【００４７】
＜動作＞
次に、上記固液分離装置１を駆動させる際の動作について説明する。
【００４８】
（固液分離モード）
まず、汚水Ａ中から分離する固形物Ｂに対応させた所定のメッシュ構造のスクリーン４ｂが取り付けられた篩４を、固液分離装置１の係止材３ｅの係止片３ｆ間に係止させる。この状態で、制御盤１１にて振動モータ５を駆動させ、この振動モータ５にて発生させる振動を、設置部材３ｈおよび係止材３ｅを介して篩４へ伝達させ、この篩４を所定の振幅で振動動作させる。ここで、装置本体２の排出口６ｂがシャッタ６ｃにて閉塞されている場合には、制御盤１１にてエアシリンダ６ｄを駆動させてシャッタ６ｃを移動させて、装置本体２の排出口６ｂを開口させる。
【００４９】
次いで、通水ポンプ１２を駆動させ、所定の流入スピードで汚水供給口２ｅから汚水タンク２ｄ内に汚水Ａを流入させていく。この後、この汚水タンク２ｄ内が汚水Ａで満たされると、越流凹部２ｆを介して流入板２ｇ上へ汚水Ａが越流していき、篩４のスクリーン４ｂ上へ供給されていく。このとき、このスクリーン４ｂ上に供給された汚水Ａ中の水Ｃは、このスクリーン４ｂのマス目を通過して固液分離部２ｈの下方へ分離される。そして、このスクリーン４ｂを通過した水Ｃは、装置本体２の下方に設けられた排水口２ｊから装置本体２外へ排出される。
【００５０】
一方、篩４のスクリーン４ｂ上に供給された汚水Ａ中の固形物Ｂは、この篩４の所定の振幅の振動によって、この固形物Ｂ中の水Ｃが徐々に分離されながら、このスクリーン４ｂの下流側へ徐々に送られていく。そして、このスクリーン４ｂの下流側へ送られた固形物Ｂは、篩４の下流側の端部から、装置本体２の排出口６ｂを介して下方へ落下していき、装置本体２の外部へ排出される。
【００５１】
（洗浄モード）
次いで、所定量の汚水Ａを処理した場合や、篩４のスクリーン４ｂ上に所定量の固形物Ｂが付着等している場合には、自動的または手動により汚水供給口２ｅへの汚水Ａの供給が停止されるとともに、制御盤１１にてエアシリンダ６ｄが駆動されシャッタ６ｃにて排出口６ｂが閉塞される。
【００５２】
この後、制御盤１１にて洗浄ポンプ８ｋが駆動され、ホース８ｅを介して上側および下側洗浄機構８，９の各散水管８ｄ，９ｄに洗浄水が供給される。そして、これら散水管８ｄ，９ｄの各洗浄用ノズル８ｆ，９ｆから洗浄水が噴出され、上側洗浄機構８の各洗浄用ノズル８ｆにより、篩４のスクリーン４ｂの上側へ、このスクリーン４ｂの幅方向の全体に亘って洗浄水が吹き付けられるとともに、下側洗浄機構９の各洗浄用ノズル９ｆにより、篩４のスクリーン４ｂの下側へ、このスクリーン４ｂの幅方向の全体に亘って洗浄水が吹き付けられる。
【００５３】
同時に、制御盤１１にて駆動モータ８ｇが駆動されて上側洗浄機構８の下流側のスプロケット８ｂが回転駆動される。そして、このスプロケット８ｂの回転駆動に伴って上側洗浄機構８のチェーン８ｃが駆動されるとともに、連動チェーン９ｇを介して下側洗浄機構９の下流側のスプロケット９ｂが回転駆動され、このスプロケット９ｂの回転駆動に伴って下側洗浄機構９のチェーン９ｃが駆動される。さらに、これらチェーン８ｃ，９ｃの回転駆動によって、上側および下側洗浄機構８，９の各散水管８ｄ，９ｄの各洗浄用ノズル８ｆ，９ｆから洗浄水を噴出させながら、これら散水管８ｄ，９ｄが、図１に示す下流側の位置から上流側に移動されていく。
【００５４】
このとき、上側洗浄機構８のスプロケット８ｂの回転に伴う回転軸の回転によって、移動制御機構１０の移動体１０ｄが回転軸１０ａの係止溝１０ｂに沿って移動していき、上側および下側洗浄機構８，９の各散水管８ｄ，９ｄが最も上流側の所定位置まで移動した場合に、移動体１０ｄがセンサ１０ｅに感知されてオンされる。そして、このセンサ１０ｅのオンに伴い制御盤１１にて駆動モータ８ｇの駆動方向が反転され、これら上側および下側洗浄機構８，９の各散水管８ｄ，９ｄの移動方向が上流側から下流側に向かう方向に変更される。
【００５５】
この状態で、上側洗浄機構８のスプロケット８ｂの回転に伴う回転軸１０ａの回転によって、移動制御機構１０の移動体１０ｄが回転軸１０ａの係止溝１０ｂに沿って移動してき、上側および下側洗浄機構８，９の各散水管８ｄ，９ｄが最も下流側の所定位置まで移動した場合に、移動体１０ｄがセンサ１０ｅに感知されてオンされる。そして、このセンサ１０ｅのオンに伴い制御盤１１にて駆動モータ８ｇの駆動が停止され、上側および下側洗浄機構８，９の各散水管８ｄ，９ｄの移動が停止される。
【００５６】
この後、制御盤１１による洗浄ポンプ８ｋの駆動が停止された後、この制御盤１１にてエアシリンダ６ｄが駆動されてシャッタ６ｃにて排出口６ｂが開口される。
【００５７】
＜作用効果＞
前述のように、本考案に係る固液分離装置１によれば、固形物Ｂと水Ｃとが混合した汚水Ａを篩４上に供給させた状態で、振動モータ５を駆動させ装置本体２を介して篩４を所定の振幅で振動させることにより、この篩４上に供給された汚水Ａ中の水Ｃが徐々に分離されていき、この汚水Ａを固形物Ｂと水Ｃとに効率良く固液分離することができる。特に、振動モータ５を駆動させた場合に、装置本体２の上側に取り付けられたコイル状のスプリング３ａを介して篩４を振動させる構成としたことにより、この篩４を振動モータ５にて直接振動させる場合に比べ、この篩４を耐久性良く確実に振動させることができる。
【００５８】
すなわち、スプリング３ａを介して振動モータ５にて振動される係止材３ｅの長手方向を、装置本体２の上流側から下流側に向けて下方に傾斜させ、この係止材３ｅの係止片３ｆ間に篩４を設置させる構成としたことにより、この篩４の長手方向Ｄが、装置本体２の上流側から下流側に向けて下方に傾斜して設置される。この結果、この篩４の上流側から、この篩４のスクリーン４ｂ上に汚水Ａを供給しつつ、この篩４を振動モータ５にて振動させることにより、この篩４のスクリーン４ｂが上流側から下流側に向けて下方に傾斜しているため、この汚水Ａをスクリーン４ｂの上流側から下流側に徐々に送りながら、この汚水Ａ中に含まれる水Ｃをスクリーン４ｂにて徐々に分離させることができる。
【００５９】
そして、スクリーン４ｂ上へ送られた汚水Ａは、このスクリーン４ｂの上流側から下流側へ送られる間に、この汚水Ａ中の水Ｃが徐々に分離されて固形物Ｂとなり、篩４の下流側の端部を越えて落下し装置本体２の排出口６ｂから外部へ排出される。したがって、固形物Ｂと水Ｃとが混合した汚水Ａの固液分離を簡単な構成で確実に行うことができる。
【００６０】
さらに、篩４にて所定量の汚水Ａを固液分離し続けた場合に、この汚水Ａ中の固形物Ｂが篩４のスクリーン４ｂ上に付着したり、このスクリーン３ｂのマス目に詰まったりした場合に、上側および下側洗浄機構８，９の洗浄用ノズル８ｆ，９ｆから洗浄水を噴出させ、このスクリーン４ｂを上下から洗浄水にて洗浄することができる。また、これら上側および下側洗浄機構８，９のそれぞれの洗浄用ノズル８ｆ，９ｆを同期させて上流側から下流側、および下流側から上流側へ移動でき、このスクリーン４ｂの長手方向に亘って洗浄水を吹き付けて洗浄できるから、このスクリーン４ｂに付着したり目詰まりしたり等した固形物Ｂを、このスクリーン４ｂの長手方向の全体に亘って効率良くかつ均等に取り除いて洗浄することができる。
【００６１】
また、制御盤１１にてエアシリンダ６ｄを駆動させシャッタ６ｃにて排出口６ｂを閉塞させた状態で、上側および下側洗浄機構８，９の洗浄用ノズル８ｆ，９ｆから洗浄水を噴出させて篩４のスクリーン４ｂを洗浄する構成としたことにより、スクリーン４ｂを洗浄する際の排出口６ｂからの洗浄水の排出を確実に防止できる。よって、この排出口６ｂから排出された固形物Ａへのスクリーン４ｂ洗浄時の洗浄水の混入を確実に防止できるから、篩４のスクリーン４ｂを洗浄する際の固形物Ｂへの水Ｃの混入を確実に防止できる。
【００６２】
さらに、制御盤１１にて駆動モータ８ｇを駆動させて上側および下側洗浄機構８，９のそれぞれの散水管８ｄ，９ｄを下流側から上流側に移動させながら篩４を洗浄させている際に、上側洗浄機構８のスプロケット８ｂの回転に伴う回転軸１０ａの回転によって、移動制御機構１０の移動体１０ｄを回転軸１０ａの係止溝１０ｂに沿って移動させる。そして、この移動体１０ｄが係止溝１０ｂに沿って散水管８ｄ，９ｄが下流位置から上流位置までの移動距離ほど移動した場合に、移動体１０ｄがセンサ１０ｅに感知され、制御盤１１にて駆動モータ８ｇの駆動方向が反転される。
【００６３】
またこの状態で、上側洗浄機構８のスプロケット８ｂの回転に伴う回転軸１０ａの回転によって、移動制御機構１０の移動体１０ｄを回転軸１０ａの係止溝１０ｂに沿って移動させる。このとき、この移動体１０ｄが係止溝１０ｂに沿って散水管８ｄ，９ｄが上流位置から下流位置までの移動距離ほど移動した場合に、移動体１０ｄがセンサ１０ｅに感知され、制御盤１１にて駆動モータ８ｇの駆動が停止される。
【００６４】
この結果、上側および下側洗浄機構８，９の洗浄用ノズル８ｆ，９ｆの直線的な移動距離を、回転軸１０ａの外周に設けた螺旋状の係止溝１０ｂに沿った移動体１０ｄの移動で把握でき、この移動体１０ｄの少ない移動距離で、各洗浄用ノズル８ｆ，９ｆの移動距離を把握することができる。よって、これら洗浄用ノズル８ｆ，９ｆを移動させて篩４を洗浄させる際の、これら洗浄用ノズル８ｆ，９ｆの水平方向にそった直線的な駆動距離を簡単な構成で確実に制御することができる。
【００６５】
＜その他＞
なお、本考案は前述した実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【００６６】
また、上記一実施形態においては、カット野菜を作る際に排出される汚水Ａ中の、野菜屑や土・泥等の固形物Ｂから水Ｃを分離するための固液分離装置１について説明したが、所定の大きさを有する固形物Ｂが含まれた汚水Ａであれば、どのような汚水Ａであっても、篩４のスクリーン４ｂのマス目の大きさや、振動モータ５の振幅や振動数等を適宜調整することによって、対応させて用いることができる。
【００６７】
さらに、上述した固液分離装置１の洗浄モードについては、所定量の汚水Ａを処理した場合や、汚水Ａの供給を開始してから所定時間経過した場合等に、制御盤１１にて自動的に自動洗浄装置７を稼働させても良いし、篩４のスクリーン４ｂ上に所定量の固形物Ｂが付着等している等、作業者が必要と判断した場合に、自動的または手動で制御盤１１にて自動洗浄装置７を稼働させても良い。
【符号の説明】
【００６８】
１    固液分離装置
２    装置本体
２ａ  壁材
２ｂ  脚体
２ｃ  仕切板
２ｄ  汚水タンク
２ｅ  汚水供給口
２ｆ  越流凹部
２ｇ  流入板
２ｈ  固液分離部
２ｉ  開口部
２ｊ  排水口
３ａ  スプリング
３ｂ  支持部材
３ｃ  枠材
３ｄ  脚材
３ｅ  係止材
３ｆ  係止片
３ｇ  接続片
３ｈ  設置部材
４    篩
４ａ  枠材
４ｂ  スクリーン
５    振動モータ
６ａ  遮蔽板
６ｂ  排出口
６ｃ  シャッタ
６ｄ  エアシリンダ
７    自動洗浄装置
８    上側洗浄機構
８ａ，８ｂ  スプロケット
８ｃ  チェーン
８ｄ  散水管
８ｅ  ホース
８ｆ  洗浄用ノズル
８ｇ  駆動モータ（駆動装置）
８ｈ  接続口
８ｉ  支持材
８ｊ  錘
８ｋ  洗浄ポンプ
９    下側洗浄機構
９ａ，９ｂ  スプロケット
９ｃ  チェーン
９ｄ  散水管
９ｆ  洗浄用ノズル
９ｇ  連動チェーン
１０  駆動制御機構
１０ａ  回転軸
１０ｂ  係止溝
１０ｃ  被係止溝
１０ｄ  移動体
１０ｅ  センサ
１１    制御盤（制御装置）
１２    通水ポンプ
Ａ    汚水
Ｂ    固形物
Ｃ    水
Ｄ    長手方向
Ｅ    幅方向
【図１】
0003184959.tif 000003
【図２】
0003184959.tif 000004
【図３】
0003184959.tif 000005
【図４】
0003184959.tif 000006